(57)【要約】【課題】筆記することに集中でき、能率のよい筆記を行うことができる筆記補助具を提供する。【解決手段】筆記用具３００を持つ手における小指４３０の付け根と手首４２０との間の小指球４１０に添えられる筆記補助具であって、筆記用紙に接触する側の面の筆記用紙に対する摩擦係数が、小指球４１０の皮膚表面よりも小さい素材でなる生地により作られている小指球カバー１００と、小指球カバー１００における手首４２０の側の端部に取り付けられており、小指球カバー１００を手首４２０に取り付け可能なリストバンド２１０，２２０とを備える。【選択図】図３
2016017243.tif 000002
【特許請求の範囲】
【請求項１】
筆記用具を持つ手における小指の付け根と手首との間の小指球に添えられる筆記補助具であって、
筆記用紙に接触する側の面の前記筆記用紙に対する摩擦係数が、前記小指球の皮膚表面よりも小さい素材からなる生地により作られている小指球カバーと、
前記小指球カバーにおける前記手首の側の端部に取り付けられており、当該小指球カバーを前記手首に取り付け可能なリストバンドと、
を備える筆記補助具。
【請求項２】
請求項１に記載の筆記補助具において、
前記筆記用紙に対する摩擦係数が、前記小指球の皮膚表面よりも小さい素材からなる生地は、ポリエステル繊維又はナイロン繊維による生地であることを特徴とする筆記補助具。
【請求項３】
請求項１に記載の筆記補助具において、
前記ポリエステル繊維又はナイロン繊維による生地は、前記ポリエステル繊維又はナイロン繊維をタフタ織りしてなる生地であることを特徴とする筆記補助具。
【請求項４】
請求項１〜３のいずれかに記載の筆記補助具において、
前記小指球カバーの前記小指球に接触する側の面が、吸湿性を有する素材からなる生地により作られていることを特徴とする筆記補助具。
【請求項５】
請求項１〜４のいずれかに記載の筆記補助具において、
前記リストバンドは、布製の２本の紐からなり、当該２本の紐の各後端部が前記小指球カバーにおける前記手首の側の端部に取り付けられており、当該２本の紐の各先端部の側には、面ファスナーが取り付けられていることを特徴とする筆記補助具。
【請求項６】
請求項１〜４のいずれかに記載の筆記補助具において、
前記リストバンドは、ゴム紐からなり、当該ゴム紐が環状をなすように前記小指球カバーにおける前記手首の側の端部に取り付けられていることを特徴とする筆記補助具。
【発明の詳細な説明】
【技術分野】
【０００１】
本発明は、筆記用紙に筆記する際に用いる筆記補助具に関する。
【背景技術】
【０００２】
筆記用紙に筆記する際においては、筆記者は、筆記用具を持つ手の小指球を筆記用紙に接触させた状態で、横書きの場合には一般的には右方向、縦書きの場合には下方向（筆記者の手前方向）にスライドさせながら筆記して行く。ここで、「小指球」とは、小指の付け根から手首までの間において肉が盛り上がっている部分を指すものとする。また、「手の小指球をスライドさせる」というような表記を行う場合、単に「手をスライドさせる」というように表記する場合もあるが、「手の小指球をスライドさせる」ということと「手をスライドさせる」ということは、この明細書においては同じ意味であるとする。
【０００３】
なお、文章などを連続的に筆記する際には、所定数（２〜５文字程度）の文字を一回の筆記単位として、当該一回の筆記単位（一筆記単位と呼ぶことにする。）を筆記するごとに筆記用紙上で手をスライドさせて、次の一筆記単位を筆記するということを繰り返しながら筆記して行くことが一般的である。
【０００４】
具体的には、一筆記単位を筆記している間は、手は殆どスライドさせずに筆記具を持つ指を当該一筆記単位に含まれる文字の並び方向に動かして一筆記単位を筆記し、当該一筆記単位の筆記が終わると、手をスライドさせて次の一筆記単位を筆記するというように、一筆記単位を筆記するごとに手をスライドさせるという筆記動作を行うことが一般的である。
【０００５】
ここで、一筆記単位に含まれる文字が幾つであるかは、決まっているものではなく、２〜５文字程度を筆記すると、無意識のうちに手をスライドさせているという程度のものである。したがって、ある文章を筆記する場合、一筆記単位は２文字程度となる場合もあり、また、５文字程度となる場合もある。
【０００６】
このように、筆記用紙上で手をスライドさせながら筆記する際に、筆記用紙の素材などによっては、手をスライドさせにくいことがあり、長時間の筆記を行うと、筆記に集中できなくなり、能率よく筆記することができない場合もある。このような課題を解決しようとするための筆記補助具は、従来から種々提案されている（例えば、特許文献１及び特許文献２参照。）。
【０００７】
図６は、特許文献１に記載されている筆記補助具を説明するために示す図である。
図７は、特許文献２に記載されている筆記補助具を説明するために示す図である。
【０００８】
特許文献１に記載されている筆記補助具（従来の第１筆記補助具という。）は、低摩擦素材からなる手下敷き本体８１０を有するものであり、図６に示すように、手下敷き本体８１０を筆記用紙（図示せず。）と筆記者の手８２０の小指球８２１との間に敷いて筆記するというものである。従来の第１筆記補助具においては、低摩擦素材からなる手下敷き本体８１０を小指球８２１と筆記用紙との間に敷いて筆記することにより、筆記用紙上で手をスライドさせ易くなるとしている。
【０００９】
一方、特許文献２に記載されている筆記補助具（従来の第２筆記補助具という。）は、裏面（小指球に接触する側の面）に粘着層が形成され、表面（筆記用紙に接触する側の面）に平滑層が形成されているスライダー本体９１０を有するものであり、図７に示すように、スライダー本体９１０を筆記者の手９２０の小指球９２１に貼着して使用するものである。従来の第２筆記補助具においては、スライダー本体９１０を小指球９２１に貼着した状態（図７参照。）で筆記することにより、従来の第１筆記補助具と同様に、筆記用紙上で手をスライドさせ易くなるとしている。
【先行技術文献】
【特許文献】
【００１０】
【特許文献１】特許第５３１７１９２号公報
【特許文献２】実用新案登録第３０８２５９６号公報
【発明の概要】
【発明が解決しようとする課題】
【００１１】
しかしながら、従来の第１筆記補助具及び従来の第２筆記補助具においては、筆記用紙の素材にかかわらず筆記具を持つ手をスライドさせ易くすることができるとしているが、単にスライドさせ易くするだけでは、能率のよい筆記が可能となるとは言えない場合もある。
【００１２】
従来の第１筆記補助具（図６参照。）においては、手下敷き本体８１０は、小指球８２１と筆記用紙との間に敷かれているだけであるため、手８２０の動きに追従できない場合があり、手下敷き本体８１０が小指球８２１と筆記用紙との間から外れてしまうおそれもある。手下敷き本体８１０が小指球８２１と筆記用紙との間から外れてしまうと、筆記者は、その都度、手下敷き本体８１０を小指球８２１と筆記用紙との間に敷き直すといった煩わしい操作を行う必要がある。このため、筆記者は、筆記に集中できなくなり、能率のよい筆記が行えないといった課題がある。
【００１３】
また、従来の第２筆記補助具（図７参照。）においては、スライダー本体９１０は、当該スライダー本体９１０に形成されている粘着層によって当該スライダー本体９１０を小指球９２１に貼着して使用するものであるため、スライダー本体９１０が粘着層によって小指球９２１に密着する感覚（密着感）に不快感を抱く筆記者もある。このような筆記者にとっては、常に、不快感を抱きながら筆記することとなり、この場合も、筆記することに集中できなくなり、能率のよい筆記が行えないといった課題がある。
【００１４】
本発明は上記事情に鑑みてなされたものであり、筆記することに集中でき、能率のよい筆記が可能となる筆記補助具を提供することを目的とする。
【課題を解決するための手段】
【００１５】
［１］本発明の筆記補助具は、筆記用具を持つ手における小指の付け根と手首との間の小指球に添えられる筆記補助具であって、筆記用紙に接触する側の面の前記筆記用紙に対する摩擦係数が、前記小指球の皮膚表面よりも小さい素材からなる生地により作られている小指球カバーと、前記小指球カバーにおける前記手首の側の端部に取り付けられており、当該小指球カバーを前記手首に取り付け可能なリストバンドと、を備えることを特徴とする。
【００１６】
このように、本発明の筆記補助具においては、小指球カバーは、リストバンドによって手首に取り付けられるため、手の動きに追従させることができる。これにより、本発明の筆記補助具によれば、筆記用紙上で手をスライドさせたときに、小指球カバーが手の小指球から外れてしまうといったことがなくなり、小指球カバーが外れるたびに、小指球カバーを小指球と筆記用紙との間に敷き直すといった煩わしい操作を行う必要がない。このため、筆記者は、筆記に集中することができ、能率のよい筆記が可能となる。
【００１７】
また、本発明の筆記補助具においては、リストバンドを手首に巻くだけで小指球カバーを取り付けることができる。このため、粘着層などにより貼着するものに比べて、密着感もないことから、不快感を抱きながら筆記することがなくなる。このため、筆記者は、筆記に集中することができ、能率のよい筆記が可能となる。
【００１８】
［２］本発明の筆記補助具においては、前記筆記用紙に対する摩擦係数が、前記小指球の皮膚表面よりも小さい素材からなる生地は、ポリエステル繊維又はナイロン繊維による生地であることが好ましい。
【００１９】
これにより、筆記用紙上で手をスライドさせる際には、手が筆記用紙に直接的に接触した状態で手をスライドさせる場合に比べてスライドさせ易くすることができる。
【００２０】
［３］本発明の筆記補助具においては、前記ポリエステル繊維又はナイロン繊維による生地は、前記ポリエステル繊維又はナイロン繊維をタフタ織りしてなる生地であることが好ましい。
【００２１】
このように、小指球カバーにおける筆記用紙に接触する側の面は、ポリエステル繊維又はナイロン繊維をタフタ織りしてなる生地が用いられている。このため、後述するように、筆記用紙上で手をスライドさせる際には、滑らかにスライドさせることができ、小指球を停止させている状態（文字を書いている状態）のときには、滑りにくく、意図的にスライドさせようとしなければ確実な停止状態を維持できる。このため、文字を筆記している際には、適切な筆圧を加えた状態で文字を筆記することができる。
【００２２】
［４］本発明の筆記補助具においては、前記小指球カバーの前記小指球に接触する側の面が、吸湿性を有する素材からなる生地により作られていることが好ましい。
【００２３】
このように、小指球カバーの裏面（小指球に接触する側の面）の素材は、綿などの吸湿性のある素材が用いられていることから、汗を吸い取ることもでき、夏などの高温時においても、長時間の筆記にも不快適を抱くことが少なくなる。
【００２４】
［５］本発明の筆記補助具においては、前記リストバンドは、布製の２本の紐からなり、当該２本の紐の各後端部が前記小指球カバーにおける前記手首の側の端部に取り付けられており、当該２本の紐の各先端部の側には、面ファスナーが取り付けられていることが好ましい。
【００２５】
これにより、２本のリストバンドを面ファスナー（例えばマジックテープ（登録商標））によって接合するだけで小指球カバーを手首に取り付けることができるため、小指球カバーの取り付けが容易であり、また、取り外しも容易である。
【００２６】
［６］本発明の筆記補助具においては、前記リストバンドは、ゴム紐からなり、当該ゴム紐が環状をなすように前記小指球カバーにおける前記手首の側の端部に取り付けられていることが好ましい。
【００２７】
これによっても、小指球カバーを手首に取り付けることができ、しかも、小指球カバーの手首への取り付け及び手首からの取り外しは容易となる。
【図面の簡単な説明】
【００２８】
【図１】実施形態に係る筆記補助具１０を説明するために示す図である。
【図２】実施形態に係る筆記補助具１０を筆記者の手に取り付けた状態を示す図である。
【図３】実施形態に係る筆記補助具１０を筆記者の手に取り付けた状態で筆記用紙に筆記している様子を示す図である。
【図４】筆記動作を説明するために示す図である。
【図５】実施形態に係る筆記補助具の変形例を説明するために示す図である。
【図６】特許文献１に記載されている筆記補助具を説明するために示す図である。
【図７】特許文献２に記載されている筆記補助具を説明するために示す図である。
【発明を実施するための形態】
【００２９】
以下、本発明の実施形態について説明する。
【００３０】
［実施形態］
図１は、実施形態に係る筆記補助具１０を説明するために示す図である。図１（ａ）は実施形態に係る筆記補助具１０における小指球カバー１００を表面１００ａ（筆記用紙に接触する側の面）の側から見た図であり、図１（ｂ）は実施形態に係る筆記補助具１０における小指球カバー１００を裏面１００ｂ（筆記者の小指球に接触する側の面）の側から見た図である。
図２は、実施形態に係る筆記補助具１０を筆記者の手４００に取り付けた状態を示す図である。
【００３１】
図１及び図２を参照しながら実施形態に係る筆記補助具１０を説明する。実施形態に係る筆記補助具１０は、手４００の小指球４１０に添えられる小指球カバー１００と、小指球カバー１００における端部（筆記者の手首４２０側の端部）に取り付けられており、小指球カバー１００を筆記者の手首４２０に取り付け可能なリストバンド２１０，２２０とを備えている。
【００３２】
小指球カバー１００は、実施形態に係る筆記補助具１０においては、三角形に近い形状をなしており、表面１００ａ（筆記用紙に接触する側の面）の筆記用紙に対する摩擦係数が、小指球４１０の皮膚表面よりも小さい素材からなる生地により作られており、裏面１００ｂ（小指球４１０に接触する側の面）が、綿など吸湿性に優れた素材（綿生地など）で作られている。
【００３３】
実施形態に係る筆記補助具１０においては、筆記用紙に対する摩擦係数が、小指球４１０の皮膚表面よりも小さい素材からなる生地としては、ポリエステル繊維又はナイロン繊維による生地が用いられており、しかも、当該ポリエステル繊維又はナイロン繊維をタフタ織りしてなる生地が用いられている。
【００３４】
なお、「タフタ織りしてなる生地」というのは、経（タテ）糸には細い繊維を用い、緯（ヨコ）糸には経糸よりも太い繊維を用い、これら経糸及び緯糸を密に平織してなる生地（タフタ生地ともいう。）を指している。このように、タフタ生地は、緯糸には経糸よりも太い繊維を用いているため、太い緯糸がごく細かい間隔で畝（帯状凸部）を形成している。
【００３５】
このようなタフタ生地の素材としては、絹繊維、ポリエステル繊維又はナイロン繊維を用いたものを例示することができるが、実施形態に係る筆記補助具においては、小指球カバー１００は、ポリエステル繊維又はナイロン繊維を用いたタフタ生地を使用するものとする。なお、ポリエステル繊維又はナイロン繊維を用いたタフタ生地は、例えば、洋傘などにも用いられている。
【００３６】
小指球カバー１００は、上記したように、三角形に近い形状をなしており、三角形の頂点に相当する先端部Ｐが筆記者の小指４３０側に位置し、三角形の底辺に相当する後端辺Ｌが筆記者の手首４２０側に位置するようにして、小指球４１０に添えられる。なお、小指球カバー１００の後端辺Ｌの中点から先端部Ｐまでの高さｈ（図１参照。）は、４０ｍｍ〜９０ｍｍ程度が好ましく、後端辺Ｌの幅ｗ１（図１参照。）も４０ｍｍ〜９０ｍｍ程度が好ましいが、高さｈ及び幅ｗ１は、それぞれ７０ｍｍ〜８０ｍｍ程度とすることがより好ましい。
【００３７】
このように構成されている小指球カバー１００の後端辺Ｌの一方の端部ｅ１付近には、リストバンド２１０の一端部が縫合などによって取り付けられており、小指球カバー１００の後端辺Ｌの他方の端部ｅ２付近には、リストバンド２２０の後端部が縫合などによって取り付けられている（図１参照。）。
【００３８】
リストバンド２１０，２２０は、当該リストバンド２１０，２２０を筆記者の手（利き手）４００の手首に両側から巻き付けるようにしたとき、それぞれの他端部（先端部）が、互いに１０ｍｍ〜５０ｍｍ程度の重なりを有する程度の長さを有している。そして、リストバンド２１０，２２０のそれぞれの他端部（先端部）の側には、マジックテープ（登録商標）などの面ファスナー２３０が取り付けられている。このため、図２に示すように、当該リストバンド２１０，２２０を筆記者の利き手（右手とする。）の手首４２０に両側から巻いて、面ファスナー２３０により、リストバンド２１０，２２０を接合できるようになっている。
【００３９】
リストバンド２１０，２２０の素材は、特に限定されるものではないが、肌触りがよく、また吸湿性の良い素材が好ましい。なお、実施形態に係る筆記補助具１０においては、リストバンド２１０，２２０は、例えば、ポリエステル繊維などからなる布製からなる。また、リストバンド２１０，２２０の幅ｗ２（図１参照。）は、細すぎると手首に喰い込む可能性もあるので、５ｍｍ〜１５ｍｍ程度が好ましい。また、リストバンド２１０，２２０の素材は、伸縮可能な素材であってもよい。
【００４０】
図２に示すように、小指球カバー１００は、リストバンド２１０，２２０を面ファスナー２３０によって接合するだけで筆記者の手首４２０に取り付けることができるため、小指球カバー１００の取り付けが容易であり、また、取り外しも容易である。また、リストバンド２１０，２２０は、面ファスナー２３０によって接合するものであるため、個々の接合筆記者の好みに応じて、緩めに手首に巻くこともでき、また、緩みが生じないように巻くということもできる。
【００４１】
図３は、実施形態に係る筆記補助具１０を筆記者の手に取り付けた状態で筆記用紙に筆記している様子を示す図である。実施形態に係る筆記補助具１０を筆記者の利き手（右手）に取り付けた状態（図２参照。）で鉛筆などの筆記具３００を持つ手４００を筆記用紙５００に置くと、筆記者の小指球４１０と筆記用紙５００との間には、小指球カバー１００が敷かれた状態となり、しかも、小指球カバー１００のタフタ生地からなる表面１００ａが筆記用紙５００に接触した状態となる。
【００４２】
この状態で、例えば、文章を横書きで筆記する筆記動作を行うと、筆記者の手４００の動きは次のような動きとなるのが一般的である。すなわち、文字を筆記している間は、手４００は殆どスライドさせずに筆記具３００を持つ指を文字の並び方向（矢印ｘ方向）に動かして、前述した一筆記単位（２〜５文字とする。）の筆記を行い、当該一筆記単位の筆記が終わると、筆記用紙５００上で手４００をスライドさせて次の一筆記単位を筆記するというように、一筆記単位を筆記するごとに手４００をスライドさせるという筆記動作を繰り返し行う。
【００４３】
図４は、筆記動作を説明するために示す図である。例えば、図４に示すように、「東京都千代田区霞が関１丁目１番地・・・」というような文章を筆記する場合において、最初の「東京都」の３文字は、手４００は殆どスライドさせずに、筆記具３００を持つ指を文字の並び方向に動かしながら筆記し、当該「東京都」の筆記が終わると、手４００を少しスライドさせて、次の「千代田区」の４文字は、小指球を殆どスライドさせずに、筆記具３００を持つ指を文字の並び方向に動かしながら筆記し、当該「千代田区」の筆記が終わると、手４００を少しスライドさせて、次の「霞が関」の３文字は、手４００は殆どスライドさせずに、筆記具３００を持つ指を文字の並び方向に動かしながら筆記するというような筆記動作を行うものとする。
【００４４】
この場合、「東京都」、「千代田区」、「霞が関」がそれぞれ一筆記単位となる。これは、筆記者が意識的に決めるものではなく、無意識のうちにそのような筆記動作を行うものであるため、この場合は、結果的に、「東京都」、「千代田区」、「霞が関」がそれぞれ一筆記単位となる。
【００４５】
このような筆記動作を行う際においては、小指球カバー１００は、リストバンド２１０，２２０によって手首４２０に取り付けられているため、小指球４１０の動きに追従する。すなわち、手４００をスライドさせると小指球カバー１００もスライドして行き、手４００がスライドを停止すると小指球カバー１００もスライドが停止する。
【００４６】
このように、実施形態に係る筆記補助具１０においては、手４００をスライドさせたときに、小指球カバー１００が手（小指球）から外れてしまうといったことがなくなり、小指球カバー１００が外れるたびに、小指球カバー１００を小指球４１０と筆記用紙５００との間に敷き直すといった煩わしい操作を行う必要がない。このため、筆記者は、筆記に集中することができ、能率のよい筆記が可能となる。
【００４７】
また、実施形態に係る筆記補助具１０は、リストバンド２１０，２２０を手首４２０に巻くだけでよいため、粘着層などにより貼着するものに比べて、密着感もないため、不快感を抱きながら筆記することがなくなる。このため、筆記者は、筆記に集中することができ、能率のよい筆記が可能となる。
【００４８】
また、小指球カバー１００は、上記したように、表面側の素材はポリエステル繊維又はナイロン繊維からなるタフタ生地を用いているため、手４００をスライドさせる際には、滑らかにスライドさせることができる。一方、手４００を停止させている状態（文字を書いている状態）のときには、滑りにくく、意図的にスライドさせようとしなければ確実な停止状態を維持できる。このため、文字を筆記している際には、適切な筆圧を加えた状態で文字を筆記することができる。
【００４９】
このように、手４００をスライドさせる際には、滑らかにスライドさせることができ、手４００を停止させている状態（文字を書いている状態）のときには、意図的にスライドさせようとしなければ確実な停止状態を維持できるのは、小指球カバー１００の表面側の素材としてタフタ生地が用いられているからである。
【００５０】
すなわち、タフタ生地は、上記したように、緯糸には経糸よりも太い繊維を用いているため、太い緯糸がごく細かい間隔で畝（帯状凸部）を形成し、拡大して見た場合には、その表面に帯状に細かい凹凸が形成されている。このため、手４００をスライドさせる際には、小指球カバー１００と筆記用紙５００との接触面積が少ないことから、摩擦係数が小さくなり、滑らかにスライドさせることができる。一方、手４００を停止させている状態（文字を書いている状態）のときには、タフタ生地の凹凸が筆記用紙５００の表面の凹凸（見た目には平滑面に見える筆記用紙５００の表面を拡大した場合には細かい凹凸が存在している。）と噛み合うため、意図的にスライドさせようとしなければ、停止状態が維持され易くなる。
【００５１】
これにより、実施形態に係る筆記補助具１０によれば、当該筆記補助具１０を用いて図３及び図４に示すような筆記を行うことにより、手４００を停止させている状態（文字を書いている状態）のときには、意図的にスライドさせようとしなければ確実な停止状態を維持できるため、適切な筆圧を加えた状態で文字を筆記することができる。また、手４００をスライドさせる際には、滑らかにスライドさせることができる。このため、当該筆記補助具１０を用いて長文を筆記する場合においても、集中力を維持した状態で筆記することができ、能率のよい筆記を行うことができる。
【００５２】
また、実施形態に係る筆記補助具１０においては、小指球カバー１００の裏面（小指球４１０に接触する側の面）の素材は、綿などの吸湿性のある素材が用いられていることから、汗を吸い取ることもでき、夏などの高温時においても、長時間の筆記にも不快適を抱くことが少なくなる。
【００５３】
なお、本発明は上述の実施形態に限られるものではなく、本発明の要旨を逸脱しない範囲で種々変形実施可能となるものである。たとえば、下記に示すような変形実施も可能である。
【００５４】
（１）上記実施形態においては、小指球カバー１００の形状は３角形に近い形状としたが、これに限られるものではなく、筆記者が筆記用紙に筆記する際に、小指球４１０における筆記用紙５００との接触部分を覆うことができるようにすれば、形状は特に限定されるものではない。
【００５５】
（２）上記実施形態においては、リストバンドは、２本のリストバンド（リストバンド２１０，２２０）が設けられていて、これら２本のリストバンドを面ファスナーで接合させるようにしたが、これに限られるものではなく、例えば、平ゴム紐などを環状にしたものであってもよい。
【００５６】
図５は、実施形態に係る筆記補助具１０の変形例を説明するために示す図である。なお、図５は、図１（ｂ）と同様に、小指球カバー１００を裏面１００ｂ（小指球に接触する側の面）の側から見た図である。
【００５７】
実施形態に係る筆記補助具の変形例（筆記補助具１０’とする。）は、リストバンド（リストバンド２５０とする。）が、ゴム紐（平ゴムが好ましい。）からなり、当該ゴム紐が環状をなすように、小指球カバー１００の後端部（筆記者の手首４２０の側の端部）に取り付けられている。このようなリストバンド２５０によっても実施形態に係る筆記補助具１０と同様に、小指球カバー１００を筆記者の手首４２０に取り付けることができ、しかも、実施形態に係る筆記補助具１０と同様、小指球カバー１００の手首４２０への取り付け及び手首４２０からの取り外しは容易である。
【００５８】
（３）上記実施形態においては、横書きを行う場合を例示したが、縦書きを行う場合にも適用できることは勿論である。また、上記実施形態においては、文章を筆記する場合を例示したが、例えば、図形を描いたり、文章と図形の組み合わせを描いたりする場合などにおいても使用可能である。
【００５９】
（４）上記実施形態においては、筆記者の利き手が右手である場合を例示したが、本発明の筆記補助具１０は筆記者が左利きの場合にも使用可能であることは勿論である。
【００６０】
（５）上記実施形態においては、筆記用紙５００に対する摩擦係数が、小指球４１０の皮膚表面よりも小さい素材としては、ポリエステル繊維又はナイロン繊維を用いた場合を例示したが、他の素材であってもよい。例えば、絹などを使用することもできる。また、必ずしもタフタ織りした生地（タフタ生地）に限られるものではなく、筆記具を持つ手（小指球）をスライドさせるときには滑らかにスライドさせることができ、スライドを停止させる際には確実に停止させることができれば、他の織り方をした生地であってあってもよい。
【符号の説明】
【００６１】
１０・・・筆記補助具、１００・・・小指球カバー、１００ａ・・・表面、１００ｂ・・・裏面、２１０，２２０，２５０・・・リストバンド、２３０・・・面ファスナー、３００・・・筆記具、４００・・・手、４１０・・・小指球、４２０・・・手首、４３０・・・小指、５００・・・筆記用紙
【図１】
2016017243.tif 000003
【図２】
2016017243.tif 000004
【図３】
2016017243.tif 000005
【図４】
2016017243.tif 000006
【図５】
2016017243.tif 000007
【図６】
2016017243.tif 000008
【図７】
2016017243.tif 000009